(57)【要約】【課題】従来のＣＤプレーヤと同様の操作を行いながら、メモリカードに記録し、かつメモリカードに既に存在する情報を活用する。【解決手段】情報記録媒体をローディングしてＴＯＣを読み取り（Ｓ１）、メモリカード７に記録された管理情報とＴＯＣに記録された情報とを比較して情報が一致するか否かを判定する（Ｓ２）。一致する情報がない場合に、機械的な可動部を有する記録再生装置、家庭内サーバ又はホームＬＡＮに接続されている記録再生装置、又はインターネットを経由したサーバに接続され当該サーバにアクセスするアドレスがあらかじめ登録されている記録再生装置のいずれかに記録された情報が情報記録媒体に記録された情報と同一内容か否かを判定し（Ｓ３，Ｓ４，Ｓ５）、一致する情報がある場合は、前記メモリカード７に転送し（Ｓ６）、メモリカード７に記録された情報を用いて再生する（Ｓ７）。【選択図】　　　　図２
2004055061.tif 000002
【特許請求の範囲】
【請求項１】
情報記録媒体に記録された情報を再生手段より再生するとともに、圧縮伸張手段により圧縮された情報をメモリカードに記録し、かつ当該メモリカードに記録された情報を再生する情報記録再生方法であって、
前記情報記録媒体をローディングして、前記情報を読み取る第１のステップと、
前記メモリカードに記録された情報と前記情報記録媒体に記録された情報とを比較して情報が一致するか否かを判定する第２のステップと、
前記第２のステップの判定結果に基づいて一致する情報がないと判定された場合に、前記再生手段とは異なる他の記録再生装置、家庭内サーバ又はホームＬＡＮに接続されている記録再生装置、又はインターネットを経由し前記家庭内サーバに接続され当該家庭内サーバにアクセスするためのアドレスがあらかじめ登録されている記録再生装置のいずれかに記録された情報が前記情報記録媒体に記録された情報と同一内容か否かを判定する第３のステップと、
前記第３のステップにおける判定結果に基づいて前記情報記録媒体に記録された情報の内容と一致する情報がある場合は、当該情報を前記メモリカードに転送する第４のステップと、
前記第２のステップの判定結果に基づいて一致する情報があると判定された場合及び前記第４のステップを経過した後に、前記メモリカードに記録された情報を用いて再生する第５のステップとを、
備えた情報記録再生方法。
【請求項２】
前記第５のステップにおいて、装填されている情報記録媒体が不要であることが判明した時点で、当該情報記録媒体が交換可能であることを報知するステップを更に有する請求項１に記載の情報記録再生方法。
【請求項３】
前記情報記録媒体からＴＯＣ情報を読み出すステップと、前記メモリカードに対して、コンテンツＩＤが存在するときはコンテンツＩＤと前記ＴＯＣ情報を、コンテンツＩＤが存在しないときは前記ＴＯＣ情報を、コンテンツデータと対で記録するステップを更に有する請求項１又は２に記載の情報記録再生方法。
【発明の詳細な説明】
【０００１】
【発明の属する技術分野】
本発明は、メモリカードを用いて音楽情報を記録再生する情報記録再生方法に関する。
【０００２】
【従来の技術】
情報記録媒体としてのＣＤに記録された音楽データを圧縮してメモリカードに記録して可搬装置として音楽を楽しむ方法は既に良く知られている。これは、典型例として、約７００Ｍバイト（約７０分）の音楽データを、人間の聴感上削減可能な成分を削減してデータ量を元の約１／１１程度である約６４Ｍバイト弱に圧縮し、フラッシュメモリを収納してあるメモリカードに記録し、可搬型の小型再生装置で再生して、音楽を楽しむものである。
【０００３】
ＣＤの音楽データを圧縮して記録型光ディスクに記録して音楽を楽しむ方法も既に良く知られている。記録型光ディスクは、典型例ではＣＤ−Ｒがあり、その説明は省略する。このＣＤ−Ｒに音楽データを圧縮／伸張する技術として、典型例では、ＭＰ３（説明省略）を用いＣＤから読み取られるデータ量を約１／１１に圧縮してＣＤ−Ｒに記録する。再生時は圧縮の逆変換に相当する伸張を行って音楽データに戻して、音楽を楽しむものである。
【０００４】
また、パーソナルコンピュータ（ＰＣ）を用いて上記の動作を行うことも公知の方法の１つである。すなわち、ＰＣのＣＤ−ＲＯＭドライブを用いて、ＣＤに記録されている音楽データを読み出し、１つ又は複数のファイルとしてハードディスク（ＨＤＤ）に記録し、そのデータを圧縮するソフトウェア及びＰＣのＣＰＵ又はＤＳＰなどによる演算機能やデータ処理機能を用いて圧縮し、次にＣＤ−Ｒ記録機能を用い、圧縮された音楽データをＣＤ−Ｒに記録する。なお、再生の説明は省略する。
【０００５】
【発明が解決しようとする課題】
ところで、ＣＤプレーヤは、回転する円盤にレンズを用いてレーザ光を集光し反射光を読み取り音楽データを得ている。レンズにはフォーカスアクチュエータを駆動するフォーカスサーボとトラッキングアクチュエータを駆動するトラッキングサーボが必須であり、また、光ピックアップをディスクの内周から外周に送る、フィードモータも必須である。ターンテーブルモータを含めてモータやアクチュエータは可動部を有するので可聴音を発生することが時々あり、この改善が望まれていた。また、可動部の動作を減らせば省電力にも繋がり、これは本発明の課題の１つである。
【０００６】
フラッシュメモリと音楽圧縮技術を用いたポータブルステレオにおいては、主としてＰＣ及びそのＨＤＤを用い圧縮記録されている音楽データをフラッシュメモリカードに転送記録して用いられている。これに対して、家庭用ステレオの延長線上で、取り扱いを簡単にしたフラッシュメモリの取り扱いを課題の１つとする。取り扱いが簡単な家庭用ステレオの観点からは、ＣＤの音楽データをフラッシュメモリカードに圧縮記録するには、従来の技術で考えると、典型例で７００Ｍバイト（７０分）の音楽データをＣＤから読み出すのに約１０倍速再生で７分かかり、このデータをＭＰ３やＡＡＣ（Ａｄｖａｎｃｅｄ　Ａｕｄｉｏ　Ｃｏｄｉｎｇ）に圧縮するのに典型的なＤＳＰを用い約５倍速エンコードで１４分かかる。数年後の将来、家庭用ステレオで想定されるＤＳＰの能力向上を見込むと約１０倍速エンコードが期待され、この場合で７分となる。
【０００７】
ＰＣの様にＨＤＤを中心的な記憶装置として用いないで、希望のＣＤアルバムを手軽にフラッシュメモリカードに圧縮記録することは、本発明の課題の１つである。また、メモリカードを利用して、チェンジャー機能を有さないＣＤプレーヤにおいて、ＣＤの交換をやりやすくすることは、本発明の課題の１つである。
【０００８】
本発明は上述した点に鑑みてなされたもので、再生手段により情報記録媒体に記録された情報の再生操作を行いながらメモリカードに記録し、かつメモリカードに既に記録された情報を用いて再生することを可能にする情報記録再生方法を提供することを目的とする。
【０００９】
【課題を解決するための手段】
前記目的を達成するために、本発明に係る情報記録再生方法は、情報記録媒体に記録された情報を再生手段より再生するとともに、圧縮伸張手段により圧縮された情報をメモリカードに記録し、かつ当該メモリカードに記録された情報を再生する情報記録再生方法であって、前記情報記録媒体をローディングして、前記情報を読み取る第１のステップと、前記メモリカードに記録された情報と前記情報記録媒体に記録された情報とを比較して情報が一致するか否かを判定する第２のステップと、前記第２のステップの判定結果に基づいて一致する情報がないと判定された場合に、前記再生手段とは異なる他の記録再生装置、家庭内サーバ又はホームＬＡＮに接続されている記録再生装置、又はインターネットを経由し前記家庭内サーバに接続され当該家庭内サーバにアクセスするためのアドレスがあらかじめ登録されている記録再生装置のいずれかに記録された情報が前記情報記録媒体に記録された情報と同一内容か否かを判定する第３のステップと、前記第３のステップにおける判定結果に基づいて前記情報記録媒体に記録された情報の内容と一致する情報がある場合は、当該情報を前記メモリカードに転送する第４のステップと、
前記第２のステップの判定結果に基づいて一致する情報があると判定された場合及び前記第４のステップを経過した後に、前記メモリカードに記録された情報を用いて再生する第５のステップとを備えたものである。
【００１０】
また、前記第５のステップにおいて、装填されている情報記録媒体が不要であることが判明した時点で、当該情報記録媒体が交換可能であることを報知することを特徴とするものである。
【００１１】
さらに、前記情報記録媒体からＴＯＣ情報を読み出すステップと、前記メモリカードに対して、コンテンツＩＤが存在するときはコンテンツＩＤと前記ＴＯＣ情報を、コンテンツＩＤが存在しないときは前記ＴＯＣ情報を、コンテンツデータと対で記録するステップを更に有することを特徴とするものである。
【００１２】
【発明の実施の形態】
本発明では、ＣＤやＤＶＤ−Ａｕｄｉｏの日常的な音楽用プレーヤ／レコーダを用いた再生行為において、メモリカードを組み合わせて動作させるようにシーケンスフローを構成する。以下、本発明の実施の形態を、図面を用いながら説明する。
【００１３】
図１は、本発明の実施の形態に係る情報記録再生方法を説明するための情報記録再生装置を示すハードウェアブロック図である。図１に示す装置例は、機器内部バスと家庭のホームバスの２種類のデジタル信号線バスに、各ブロックが接続されている。再生手段としてのＣＤドライブ１は、通常のＣＤプレーヤと同様であり、情報記録媒体としてのＣＤ２に記録された音楽データが操作部３の操作に基づいて再生される。操作情報などは表示部４により表示される。
【００１４】
現在、音楽データを圧縮するには、ＭＰＥＧ　Ａｕｄｉｏ　Ｌａｙｅｒ３圧縮方式やＡＡＣ圧縮方式などが用いられて、２ｃｈの通常の品質のステレオ音楽を圧縮するのに１０〜２０ＭＩＰＳの演算能力を必要としている。１０倍速で音楽データを圧縮処理するには１００〜２００ＭＩＰＳの演算能力が必要で、家庭用としては、やや高能力な要求で有るが、ＬＳＩ技術の進歩と共にこの問題は軽減されていく。これらを見込んで、本実施の形態では、１０倍速読み出し、１０倍速圧縮伸張で説明する。その圧縮伸張回路は、図１ではＣＰＵ５が担う。
【００１５】
半導体メモリ記録再生回路６は、入来する音楽データを半導体メモリ、図１ではメモリカード７に記録し、又はメモリカード７から音楽データを読み出す。ここでは、メモリカード７はフラッシュメモリから成り、メモリカード７を機器から抜いても内容データは保持される。メモリカード７の記録容量は、典型的には６４Ｍバイトであり、ＣＤ２からの約７０分の音楽データを１／１１に圧縮して記録する。この圧縮率の場合、多くの一般使用者に満足できる音質であることが知られている。また、最近は音楽データを１／２２に圧縮して用いる方法も実用化され始めている。この場合、１枚のＣＤ２は３２Ｍバイトのメモリに収納される。
【００１６】
第２の記録再生ドライブ８は、ＨＤＤや光ディスクドライブ又はＭＤなどの情報記録媒体９の記録再生装置であり、大容量な記録再生能力を有することが好ましい。また、本ドライブが無い場合でも本発明の主な流れと効果は得られる。
【００１７】
Ｄ／Ａ変換回路１０は、本実施の形態のフローを経て得られたデジタル音楽データをアナログ信号に変換して、外部のアンプ、スピーカーに供給する。
ホームＬＡＮインターフェース１１は、機器の内部バス（ホームバス）に乗せられるホームサーバ１２に対する調査命令をホームサーバ１２が受け付ける手順で送受信したり、ホームサーバ１２から音楽データを受け取ったりするためのインターフェースである。
【００１８】
ホームサーバ１２は、家庭に置かれて記録再生用に用いられる大容量記憶装置であり、典型例は、大容量なＨＤＤとインターフェース回路、制御回路などからなる。ここに、家庭のＣＤの多くを記録保存しておき、適宜、このデータを用いて音楽を再生する方法は、ホームミュージックサーバとして既に紹介されている。
【００１９】
ホームサーバ１２を有効に使うためには、このホームバスにＰＣ１３が接続されており、ホームサーバ１２の内容管理を行うことができる構成が好ましい。さらに、ホームバスはモデム１４を通じてインターネットに繋がっており、インターネットに接続されている沢山の外部サーバ１５に蓄えられている情報を取得又は視聴可能である。なお、外部サーバ１５はインターネットを経由したホームサーバ１２に接続され、ホームサーバ１２にアクセスするためのアドレスがあらかじめ記録されている記録再生装置である。
【００２０】
次に、図２に示すフローチャートを用いて、本発明の実施の形態に係る動作を説明する。最初のステップＳ１では、ＣＤ２がローディングされＴＯＣ（Ｔａｂｌｅ　ｏｆ　Ｃｏｎｔｅｎｔｓ）を読む。ここでは、従来のＣＤプレーヤと同様な使用者の操作を基準にしている。本発明フローにおいては、ローディングされたＣＤ２を特定して認識する必要があり、本実施の形態では、図３に示すように、ＴＯＣの中にあるトラック数（曲番号）、各トラックの再生時間（曲の時間長）を用いる。この情報は、ほぼ全てのＣＤに記録されており、図３よりも更に詳しくは、各曲の長さは何分何秒何フレーム迄記録されている。フレーム迄詳しく特定しなくても、実用上は十分な精度で、他のＣＤと区別できる。
【００２１】
ステップＳ２は、メモリカード７の内容と比べるものであり、メモリカード７が存在し、その中にステップＳ１に対応する当該コンテンツが有るかを調べる。ローディングされたＣＤ２の内容情報、本実施の形態では、ＴＯＣに書かれているトータル時間と各トラック時間を、メモリカード７の中に管理情報として記録されている同等な情報と比較する。この情報が一致したならば、両者は同じコンテンツであると判断して、ステップＳ７に移行する。
【００２２】
この時はＣＤ２を用いる必要が無くなっているので、ステップＳ７で、メモリカード７の内容を用いて再生し、ＣＤ２を停止しディスクの交換及び次の再生予約が可であることを知らせる。
【００２３】
前述したステップＳ２でＮＯと判定された場合には、ステップＳ３に移行し、同装置内の第２の記録再生ドライブ８に当該ＣＤ２と同一の内容が有るか調べる。ステップＳ３でＹＥＳと判定された場合はステップＳ６に移行し、当該データをメモリカード７に転送する。ここで、同一装置内の第２の記録再生ドライブ８が光ディスク記録再生装置である場合は、読み出しレートが典型値で２０Ｍｂｐｓであり、６４Ｍバイトの音楽データを読み出すのに約２６秒を要する。また、フラッシュメモリに転送する際に６４Ｍバイトのデータを書き込むとすると、フラッシュメモリの消去及び記録時間が問題となる。典型的には１０〜２０秒を要する。したがって、これらの終了を待ってから音楽の再生を開始した場合は、使用者にとって待ち時間が長すぎるので、この様な場合は全データの転送完了を待たないで、音楽の再生を開始するのがよい。その場合、メモリカード７には音楽の冒頭から記録する流れとし、記録されたデータを読み出して音楽を再生する。なお、フローチャートの中の文はこの点を簡単化して記述してある。
【００２４】
次に、ステップＳ３でＮＯと判定された場合は、ステップＳ４に移行し、家庭内のサーバに当該ＣＤ２と同一の内容が有るかを調べる。存在すれば、前述した場合と同様にステップＳ６に移行する。他方、ＮＯの場合はステップＳ５へ移行する。
【００２５】
次に、ステップＳ５では、インターネットを経由した外部サーバ１５に当該ＣＤ２と同一の内容が有り、かつ転送可か調べる。ここで、インターネットを経由したサーバには、既に当該ＣＤ２は前記外部サーバ１５を管理する販売業者から購入し、既にインターネットを経由した聴取契約が結ばれているものとする。本発明は、ＣＤの存在が確認できれば当該データ又は等価な圧縮データをＣＤ以外から持ってきて当該音楽を再生しても著作権上は元のＣＤを再生しているのと等価である点を１つの構成要素としているので、外部サーバ１５からは使用者にとって煩雑な手続き無しに当該データが取得可能であるものとする。さらに、音楽データの送信要求に対して、要求元のＩＤ確認、聴取契約の確認、データ送信に際して第３者に利用されてしまわないように暗号化して送信し、受信側で復号するなどは決められたシーケンスに則って進むものとする。このステップＳ５の分岐がＹＥＳで進めば、次ステップは前述した場合と同様にしてステップＳ６へ進む。
【００２６】
次に、ステップＳ７での処理の特徴は、使用者が聴こうとして装填したＣＤ２の音楽を演奏し始めて短時間にＣＤ２が交換とできる点にある。この後典型値では１時間以内に次のＣＤを装填しておけば、これらの２枚のＣＤは連続演奏され、さらにそれ以降のＣＤ交換も同様である。通常のＣＤプレーヤで２枚のＣＤを続けて聴きたい場合は、１枚目の再生終了後に１枚目から２枚目への交換タイミングが発生し、その実行の後に２枚目の再生が開始され、さらにそれ以降のＣＤ交換も同様である。なお、ステップＳ５でＮＯと判定された場合はステップＳ８に移行し、ＣＤを用いて再生する。
【００２７】
以上述べた処理で、ＣＤのコンテンツに関するコンテンツＩＤが当該ＣＤ中に記録されて存在するときは、コンテンツを特定する手段としてそのコンテンツＩＤを用いる。しかし、ＣＤではコンテンツＩＤの記録は必須となっていないので、その代替として図２のステップＳ１のようにＴＯＣ情報を用いるが、さらに広く考えると、ＴＯＣ情報よりもコンテンツＩＤを用いるのが好ましく、メモリカード７にコンテンツを記録する際は、コンテンツＩＤが存在するときはコンテンツＩＤとＴＯＣ情報を、コンテンツＩＤが存在しないときはＴＯＣ情報のみを、コンテンツデータと対で記録して用いる。図４は、コンテンツＩＤの一例であり、４バイトの制作会社名、２バイトの年月日、４バイトの番号、６バイトの付加情報が記録されている例を示している。
【００２８】
本実施の形態において、メモリカード７は、フラッシュメモリＩＣで構成されており、可搬型カード状をしており、端子を用いて使用者が着脱交換可能であるものが典型例である。メモリカード７は、フラッシュメモリ以外の半導体、例えばＤＲＡＭ半導体メモリを用いてもよい。この場合は電源断でメモリカード内のデータが消えるので著作権管理への対応がやりやすくなる。
【００２９】
また、本実施の形態のメモリカード７の箇所にメモリカード７に限定せず使用者が記録メディアを着脱交換可能な記録装置及び記録メディアで構成されている記録再生装置を用いても、本発明の効果は同様である。また、本実施の形態のメモリカード７の箇所にメモリカードに限定せず固定型の記憶装置を用いても本発明の動作、効果は同様である。
【００３０】
上述したように、上記実施の形態では、高速読み出しのできるＣＤプレーヤとメモリカード７と音楽データの圧縮伸張回路とを用い、使用者にとって普通のＣＤプレーヤを使用しているのと変わらない操作で、メモリカード７に音楽を記録し、また、連続演奏をする際のＣＤの交換をやりやすくし、アクチュエータ騒音のない、省電力なＣＤ再生を可能とすることができる。
【００３１】
【発明の効果】
以上のように、本発明によれば、再生手段により情報記録媒体に記録された情報の再生操作を行いながらメモリカードに情報が圧縮記録されているか否かを調べ、記録されている場合にはその情報を用いて再生することができる。また、使用者に次の情報記録媒体の装填及び再生予約が可能であることを報知できる。
【図面の簡単な説明】
【図１】本発明の実施の形態に係る情報記録再生方法を説明するための情報記録再生装置を示すハードウェアブロック図である。
【図２】本発明の実施の形態に係る動作を説明するためのフローチャートである。
【図３】本発明の実施の形態に関するＴＯＣの説明図である。
【図４】本発明の実施の形態に係り、メモリカードに記録されるコンテンツＩＤの一例を示す図である。
【符号の説明】
１　ＣＤドライブ（再生手段）
２　ＣＤ（情報記録媒体）
３　操作部
４　表示部
５　ＣＰＵ
６　半導体メモリ記録再生回路
７　メモリカード（半導体メモリ）
８　第２の記録再生ドライブ（その他の記録再生装置）
９　情報記録媒体
１０　Ｄ／Ａ変換回路
１１　ホームＬＡＮインターフェース
１２　ホームサーバ（記録再生装置）
１３　ＰＣ
１４　モデム
１５　外部サーバ（記録再生装置）
【図１】
2004055061.tif 000003
【図２】
2004055061.tif 000004
【図３】
2004055061.tif 000005
【図４】
2004055061.tif 000006